(57)【特許請求の範囲】
【請求項１】
少なくとも部分的にゴムまたは可撓性のゴム状熱可塑性材料またはエラストマで作られ、それぞれの先端（３、４）に向かって先細る輪郭を有する２つの分岐部（１、２）と、結合体（８）とを含み、分岐部の少なくとも外面（３０、３２）は比較的高い摩擦係数を有する、ドアおよび／または窓ストッパであって、
２つの分岐部は、接続領域（２４）内で互いに接続され、相互に外側へ離れるように分岐部（１、２）の先端（３、４）まで延在する、内面（２０、２２）を有し、２つの分岐部（１、２）は、接続体（８）によって互いに接続されてＶ字型に設けられており、分岐部（１、２）の外面（３０、３２）は、それぞれの先端（３、４）から始まって、結合体（８）に近づくにつれ互いに近寄るように延在し、先端（３、４）と結合体（８）の一端部（１０）の間に、相互に対向する追加の表面（３８、６６）が所定の角度（６８）で配置され、その結果として、先端（３、４）での幅が端部（１０）の領域における幅よりも著しく大きいことを特徴とする、ドアおよび／または窓ストッパ。
【請求項２】
内面（２０、２２）のうちの少なくとも１つが凸状であり、および／または外面（３０、３２）のうちの少なくとも１つは凹状であることを特徴とする、請求項１に記載のストッパ。
【請求項３】
内面（４０、４２）のうちの少なくとも１つおよび／または外面（４４、４６）のうちの少なくとも１つが実質的に平面である、請求項１または２に記載のストッパ。
【請求項４】
保持力を事前決定するように間隙内への挿入の間に変動可能な遊隙（２５）が内面（２０、２２）の間に存在し、および／または分岐部（１、２）を互いに押圧することによって予張力および／または保持力が事前決定、および具体的には増加させられることが可能であることを特徴とする、請求項１または３に記載のストッパ。
【請求項５】
予張力および／または保持力が、結合体（８）の方向の力の作用によって増加できるように、内面（２０、２２）の接続領域（２４）が配置されることを特徴とする、請求項１から３のいずれか一項に記載のストッパ。
【請求項６】
先端（３、４）が、接続体（８）の端部（１０）から少なくとも１つの先端（３）の距離（１６）と本質的に等しい距離（１４）を有することを特徴とする、請求項１から５のいずれか一項に記載のストッパ。
【請求項７】
内面（２０、２２）の接続領域（２４）と接続体の端部（１０）との間の距離が、接続領域（２４）と分岐部（１）の先端（３）との間の距離と少なくともほぼ等しいことを特徴とする、請求項１から６のいずれか一項に記載のストッパ。
【請求項８】
結合体（８）が、結合体（８）への遷移領域において所定係数分だけ分岐部（１、２）の幅（１１）よりも大きい長さ（９）を有し、係数は有利には１．５から３．５の間、好ましくは２から２．５の間の範囲内であることを特徴とする、請求項１から７のいずれか一項に記載のストッパ。
【請求項９】
中実設計を有すること、あるいはクランプまたは好ましくはクランプ状および／または補強型の内側部分（５２、５４）を含むことを特徴とする、請求項１から８のいずれか一項に記載のストッパ。
【請求項１０】
分岐部（１、２）がそれぞれ内部空洞（５、６）を含むこと、および／または分岐部（１、２）の領域の間に結合体（８）と隣接する空洞（７）が存在することを特徴とする、請求項１から９のいずれか一項に記載のストッパ。
【請求項１１】
好ましくは接続アーム（５６）によって接続されたクランプ状内側部分（５２、５４）が分岐部（１、２）内に設けられていることを特徴とする、請求項１から１０のいずれか一項に記載のストッパ。
【請求項１２】
内側部分（５２、５４）の壁厚はそれぞれの先端（３、４）の方向に減少し、および／または内側部分（５２、５４）はその曲げ強度および／または硬度が周囲のゴムまたは可撓性熱可塑性材料またはエラストマの硬度よりも高い材料で作られていることを特徴とする、請求項９または１１に記載のストッパ。
【請求項１３】
内側部分（５２、５４）または縁（６０）を有する部品が少なくとも１つの分岐部（１、２）に、またはストッパ全体の中に設けられ、縁はストッパの結合する表面（３８）から所定のおよび／または小さい距離（６２）だけ離れて配置され、距離は好ましくは０．５から２ｍｍの間、より具体的には１から１．５ｍｍの間の範囲内で事前決定されることを特徴とする、請求項１から１２のいずれか一項に記載のストッパ。
【発明の詳細な説明】
【技術分野】
【０００１】
本発明は、請求項１のプリアンブルに記載された特徴による、ドアおよび／または窓ストッパに関する。
【背景技術】
【０００２】
このようなドアおよび／または窓ストッパは欧州特許第２０６９５９８号明細書より知られており、これは少なくとも先端に向かって先細っている外輪郭を有し、好ましくは本質的に外輪郭に対応する内部空洞を含む。ストッパは、比較的高い摩擦係数を有するゴムまたは可撓性のゴム状熱可塑性材料で作られた外側部分と、外側部分によって包囲され、外側部分と比較して高い曲げ剛性を有する内側部分と、を含む。ストッパは、上述の先端に向かって収束する２つのアームをさらに有し、これらは先端の領域において互いに接続されている。内側部分のこれらアームのうちの少なくとも１つは、内側部分および／またはそのアームの壁厚が、アームが互いに接続される端部領域よりも厚くなるように、先端に向かって減少する壁厚を有する。このドアおよび／または窓ストッパは、多くの用途向けに試行および検査されてきた。しかしながら、ドアまたは窓が開いているときにこれらと床または枠との間の距離または間隙が比較的大きい場合には、周知のストッパの取り扱いに関して困難が生じる可能性がある。原則的に、ストッパは大きめに寸法決めされることが可能であろうが、しかしこれは製造の複雑さおよび材料費を増加させるだろう。加えて、重量、ひいては取り扱いも、不利な影響を受けるだろう。
【先行技術文献】
【特許文献】
【０００３】
【特許文献１】欧州特許第２０６９５９８号明細書
【発明の概要】
【発明が解決しようとする課題】
【０００４】
本発明の目的は、具体的には開放されたときにドアまたは窓と床および／または枠との間の比較的大きい距離での使用および／または簡単な取り扱いを可能にするために、特定された不都合が回避されるという趣旨で、上述のタイプのドアおよび／または窓ストッパを改良することである。同時に、ドアおよび／または窓ストッパはまた、比較的小さい距離および／または間隙でも使用可能でなければならない。加えて、低減された製造の複雑さおよび材料費が必要とされ、高い可撓性、および幅広い範囲の上述の距離または間隙での使用が可能となる。
【課題を解決するための手段】
【０００５】
この目的は、請求項１に示される特徴によって達成される。
【０００６】
本発明によるドアおよび／または窓ストッパは、以下省略してストッパと称されるが、単純な設計を特徴とし、少ない材料使用量および／または高い可撓性を保証しながら、ドアまたは窓の機能的に信頼できる停止を実現するように、開放されたときにドアまたは窓と床または枠との間の比較的大きい間隙または距離を埋められるようにする。ストッパは、結合体に接続され、結合体から始まってＶ字型に分岐し、および／または跨がれるように設けられた、少なくとも２つの分岐部を有する。有利なことに、分岐部の２つの先端および結合体の端部は、ほぼ正三角形を形成する。これは、上述の先端のうちの少なくとも１つから結合体の端部までの距離と実質的におよび／または少なくともおおむね等しい距離を互いに空けて分岐部の先端を配置するために、特に有利であることが見出されている。分岐部は接続領域から始まる内面を有し、これらは結合体に面しており、および／またはこれに結合されており、先端で終わっている。結合体は、それぞれの分岐部の外面と隣接する２つの外面をさらに有し、分岐部の外面も同様に分岐部先端で終わっている。具体的には分岐部は、好ましくは先端に向かって円錐状に先細るように設計されており、２つの分岐部の内面の間には遊隙が存在する。分岐部は、凹状／凸状となるように有利に設計されており、および／またはその先端にかけて、これらは相互からその側面および／または外側に向かって反対方向に延在する。分岐部は有利に湾曲しており、互いに接続された内面は凸状であり、外面は凹状である。好ましくは円錐形の内面は、好ましくは先端の領域で分岐部の外面と隣接しており、これらの外面は好ましくは結合体またはこれらの外面に戻るように、凹状に延在している。本発明の一部としての代替例として、Ｖ字型に跨がって結合体から始まっている分岐部は、少なくともそれぞれの内面および／または外面が実質的に平面状となるように設計されることが可能である。
【０００７】
ドアまたは窓と床または枠との間の間隙にストッパが挿入されると分岐部が開き、間隙内でストッパが締め付けられるように先端までの距離が増加して予張力が発生し、保持力が事前決定される。ストッパが間隙に挿入された後、予張力、ひいては保持力も、具体的には分岐部および／または先端を互いに押圧することによって、容易に事前決定および／または増加させられてもよい。分岐部が先端に向かって先細っている結果として、高い可撓性および／または長いバネ圧縮長が有利に実現される。分岐部および／またはその内面の間に存在する遊隙は、間隙内へのストッパの挿入および／または予張力または保持力を事前決定および／または増加させるためのアームの運動が機能的信頼性を伴って実行され得るように、設計されている。
【０００８】
好適な実施形態において、ストッパおよび／またはその分岐部は、少なくとも１つの内部空洞を含む。空洞は、外側部分よりも高い曲げ剛性を有する２つのアームを分岐部の領域に含む、クランプ状内側部分の内部に位置する。ストッパの外側部分、あるいはストッパおよび／またはその分岐部の少なくとも外縁は、比較的高い摩擦係数を有するゴムまたは可撓性のゴム状熱可塑性材料および／またはエラストマで作られており、これにより、ドアまたは窓、あるいは結合する枠部品または床への機能的に信頼性の高い停止が、実現される。内側部分および／またはそのアームの壁厚が、上述の接続領域および／または結合体の領域よりも先端の領域の方が薄くなるように、それぞれの分基部の内側部分のアームが先端に向かって減少する壁厚を有することは、さらに重要である。
【０００９】
ストッパは、２つの実質的な平面を有しており、これらは基体の端部の領域において互いに対して所定のおよび／または比較的短い距離にある。相互に対向する表面の距離は、分岐部および／または上述の先端に向かって増加する。このためストッパは、くさび形の設計を有しており、その表面のうちの１つが床の上で平坦に置かれたとき、比較的狭い間隙を備えるドアを止めるように、たとえば足によってドアの下に押し込まれるかまたは蹴り込まれることが可能である。ストッパは有利なことに、先端よりも結合体の領域の方が小さい深さまたは厚みを有する。このようにして、著しい材料削減が達成されるが、それにもかかわらず表面を横断する高い剛性があり、表面に対して直角な座屈または屈曲が回避される。比較的大きい間隙が存在する場合には、垂直に配向されたときに、分岐部および／または先端が床の上に配置されて結合体がドアの底部に係合するように、ストッパが有利に使用される。この目的のため、最初は床の上に平坦に置かれているストッパは、具体的には先端のうちの１つを足で踏むことによって、９０°直立させられて、間隙内に挿入されるかまたは押し込まれることが可能である。さらに、たとえば足のつま先を上述の遊隙内に係合させて、結合体の方向に接続領域を持ち上げるかまたは移動させることによって、予張力および／または保持力が簡単に増加可能であることは、特に有利である。本発明によれば、分岐部を一緒に押し込むか押圧する、たとえば分岐部を踏みつけること、および／または他方の分岐部の方向に分岐部を押圧することによって、予張力がさらに発生および／または増加させられることが可能であり、これによって必要に応じて保持力が事前決定および／または増加させられる。
【００１０】
本発明の具体的な実施形態において、ストッパの少なくとも１つの分岐部、および／またはストッパ全体は、軟性材料および／またはゴムまたは可撓性のゴム状熱可塑性材料またはエラストマで包囲され、これよりも高い曲げ剛性を有する、内側部分を含む。このようなストッパ上では、内側部分が空洞を包囲している。このようなストッパは、具体的には上述の欧州特許第２０６９５９８号明細書、または国際出願第２００８／０４０５１８号パンフレットにおいて知られており、その開示内容は本特許出願の対象とされる。好ましくはクランプ状の内側部分および／または少なくとも１つの内側部分を含む部品は、全体として、縁がストッパの少なくとも１つの表面上に突起せず、具体的には１つまたは複数の表面に対して内側および／または裏面に向かって所定距離だけ有利に陥凹するように、設計されている。それぞれの縁は、結合する表面から所定のおよび／または短い距離だけ離れており、この距離は好ましくは０．５から２ｍｍ、より具体的には１から１．５ｍｍの範囲内である。比較的硬質の内部部品および／または部品の提案された設計および／または周囲の軟性材料および／またはゴムおよび／または可撓性ゴム状熱可塑性材料またはエラストマへの接続のため、これは内側部分または部品の比較的硬質材料の上にわずかに突起する。したがって、軟性で弾性の材料を比較的薄く設計または製造すること、および／または比較的軟性で薄い材料の剥離および／または破砕を防止することが、可能である。本発明によれば、ゴムまたは塑性材料など、上述の軟性材料によって包囲され、基本的にストッパの硬質内部コアを形成する、クランプ状内側部分および／または部品は、ゴムまたはエラストマなど、周囲の比較的軟性材料よりも少ない深さを有する。
【００１１】
本発明によるストッパの特殊な実施形態および改良形態は、従属請求項、および図面に基づいて以下に記載される特殊な例示的実施形態の説明において、提供される。
【００１２】
本発明は、この点に関してそれによって本発明を限定することのない、図面に示される特殊な例示的実施形態に基づいて、以下により詳細に記載される。
【図面の簡単な説明】
【００１３】
【図１】内部空洞を含むストッパの斜視図である。
【図２】図１のストッパの正面図である。
【図３】図２による方向Ａから見たストッパの図である。
【図４】図２による方向Ｂから見たストッパの図である。
【図５】図２による方向Ｃから見たストッパの図である。
【図６】図２による方向Ｄから見たストッパの図である。
【図７】ドアが開いた状態の、ストッパの模式図である。
【図８】窓が開いた状態の、ストッパの模式図である。
【図９】ストッパの特殊な使用法を示す図である。
【図１０】ストッパの特殊な使用法を示す図である。
【図１１】クランプ状内側部分を備えないストッパの一実施形態を示す図である。
【図１２】クランプ状内側部分を備えないストッパの一実施形態を示す図である。
【発明を実施するための形態】
【００１４】
図１および図２は、先端３、４を有する２つの分岐部１、２を含むストッパを示す。分岐部１、２は、開口として設計された内部空洞５、６を有し、結合体８によって互いに接続されている。分岐部２、３は実質的にくさび形の設計を有しており、空洞５、６は好ましくは、結合体８によって区切られた共通のおよび／または均一な空洞７に向かって開放している。結合体８は、実質的に長方形であって所定の長さ９を有しており、および／または自由端部１０において凸状に湾曲した端面１２を有利に含んでいる。長さ９は、結合体８の遷移領域において所定係数分だけ、分岐部１または２の幅１１よりも大きい。この係数は有利なことに、１．５から３．５の間、および好ましくは２から２．５の間の範囲内である。分岐部１、２はＶ字型に配置されており、先端３、４は距離１４だけ離れている。
【００１５】
分岐部１、２は好ましくは、異なる使用条件および／またはドアまたは窓と床または枠との間の間隙に対してストッパが最適に使用され得るように、異なる長さを有する。明らかなように、長い方の分岐部１の先端３は端部１０から距離１６だけ離れており、その一方で短い分岐部２の先端４は端部１０から距離１８だけ離れている。距離１４は有利なことに距離１６と少なくともほぼ等しく、その一方で距離１８は距離１４よりも所定規模だけ小さい。本発明の一部として、分岐部１、２の先端３、４は、接続体８および／またはストッパの遠隔端部１０とともに、少なくともほぼ正三角形を形成し、これにより、ドアまたは窓の間の比較的大きい間隙を架橋するためのストッパの使用が、特に低い材料費および／または重量で可能とされる。
【００１６】
分岐部１は凸状の内面２０を有し、分岐部２も同様に凸状の内面２２を有し、２つの内面２０、２２は、好ましくは凸状の接続領域２４において互いに隣接している。接続領域２４は、分岐部１の先端３からの距離２８と少なくともほぼ等しい、端部１０からの距離２６を有する。分岐部１、２および／またはその内面２０、２２の間には、遊隙および／または切り込み、あるいは切り込み２５が存在する。遊隙２５は、間隙内へのストッパの挿入の間、分岐部１、２が、具体的には分岐部の可撓性を考慮しながら予張力および／または保持力を事前決定するために移動できて、ストッパが間隙内に容易に挿入され得るように、設計されている。遊隙２５はさらに、とりわけ予張力および／または保持力を事前決定および／または増加させるように、分岐部１、２が互いに対して押圧され得るように、設計されている。
【００１７】
分岐部１は凹状の外面３０を有し、分岐部２も同様に凹状の外面３２を有する。外面３０、３２は有利なことに、結合体８の同様に凹状の外面３４、３６と隣接する。ストッパ３８の、またはその分岐部１、２の、および結合体８の前面３８は、好ましくは実質的に平面であり、および／または上述の外面に対して少なくともほぼ直角である。
【００１８】
本発明によるストッパの代替実施形態において、内面および／または外面は、点線４０または４４、４６によって示されるように、本質的に平面領域として設計されることが可能である。本発明の一部として、結合体８の外面は、さらに平面領域として設計されることが可能であり、および／または点線４８、５０によって示されるように、端部１０の領域に向かって互いに収束および／または隣接することが可能である。本発明の一部として、上述の外面はさらに、分岐部１、２の上述の内面と同様に、完全におよび／または部分的に、多角形となるように設計されることが可能である。
【００１９】
分岐部１、２はクランプ状内側部分５２、５４を含み、これらは空洞５、６、および７を包囲してアームを含み、これらは先端３、４から所定距離離れて互いに接続されている。各分岐部１、２の少なくとも１つのアームの壁厚がそれぞれの先端３、４に向かって減少することは、特に重要である。このようにして、改善された可撓性および／または増加したバネ圧縮長が実現され、それによって表面３８を横断する分岐部およびストッパ全体の座屈が回避される。明らかなように、外面３０、３２に最も近い内側部分５２、５４のアームは結合体８まで延在し、そこでこれらは接続アーム５６によって互いに接続される。接続領域２４と結合体８との間の領域において、内部空洞７は、分岐部１、２の対向する部分および結合体８によって、具体的にはそこに存在する内側部分５２、５４および接続アーム５６によって、包囲されている。内側部分は、接続アーム５６とともに、一体に、または単一部品として、有利に設計されている。内側部分５２、５４および接続アーム５６は、好ましくは外側部分５８によって完全に包囲されており、そこにしっかりと一体に接続されている。外側部分５８は、ストッパの外縁を形成し、ゴムまたは可撓性のゴム状熱可塑性材料および／またはエラストマで有利に作られている。外側部分は、上述の内面２０、２２、外面３０、３２、３４、３６、および端面１２を含む。少なくとも上記の領域は、ドアまたは窓、およびその枠または床に対するストッパの確実な停止が可能となるように、比較的高い摩擦係数を有する。結合部８は、外側部分５８の部分を形成し、これと一体に設計されている。
【００２０】
前面３８に対向し、および／またはこれの下に位置し、および／またはこれに結合された、それぞれの内側部分５２、５４の縁６０、および対応するやり方で、接続アーム５６の、および／または全体としての上記部品の縁は、前面３８から所定のおよび／または短い距離６２だけ離れている。同様に、紙面の後ろに位置する、ストッパの表面に結合された１つおよび／または複数の縁も、この表面から所定のおよび／または短い距離だけ離れている。本発明によれば、これらの縁は、ストッパの前面３８および／または裏面の上に突起せず、より低いレベルに、および／または表面のうちの少なくとも１つの下に、位置する。言い換えると、１つまたは複数の内側部分５２、５４および／または接続アーム５６の深さは、それぞれの共通切断面内のストッパの厚み６４と、少なくとも同じ大きさ、および好ましくはこれよりも所定距離だけ小さい。後に記載されるように、ストッパの前面および裏面は互いに対して所定の角度で設けられることが、本明細書においてすぐに言及されるべきである。
【００２１】
図３、図４、図５、および図６は、方向Ａ、Ｂ、Ｃ、およびＤから見たストッパの図を示す。図５および図６より容易にわかるように、角度６８は上述の前面３８と裏面６６との間で事前決定されている。このためストッパはくさび形の設計を有しており、そのうちの１つの表面が床の上で平坦に置かれたとき、比較的狭い間隙を備えるドアを止めるように、たとえば足によってドアの下に押し込まれることが可能である。このためストッパは、端部１０の領域よりも先端３および４の方がかなり大きい幅を有しており、これによって材料および／または重量のかなりの節約もまた達成される。図示される表面３８、６６の平面的設計の代替として、これらはさらに、本発明の一部として湾曲および／またはアーチ状および／または波状であってもよい。
【００２２】
図７は、床７２またはドア枠７４に対して部分的に図示される扉可動部分７０を止めるための、本発明によるストッパの使用法または用途を示す。ストッパは、分岐部１またはその先端３を用いて、あるいは分岐部２またはその先端４を用いて床７２上に配置され、端部１０および／または結合体８は扉可動部分７０の下部プロファイルセクションに対して寄りかかる。ストッパは、床と扉可動部分７０の下部プロファイルとの間の間隙内に予張力で締め付けられ、分岐部１および２の可撓性の結果として、ストッパの非締め付け状態において先端３および４の間に前もって存在する距離は、増加する。ここで扉可動部分７０が、たとえば通気のためにいずれかの方向に移動させられた場合、分岐部１、２のうちの１つにおいて負荷が減少し、この分岐部の予張力が減少して他方の分岐部に向かって移動できるようになり、これによって締め付けが好ましく改善される。また、図示されるストッパの直立位置において、２つの分岐部１、２の間の遊隙２５内に足の先端で踏み込むことによって、予張力、およびひいてはストッパの保持力を増加させることは容易に可能であり、これによって接続領域２４を持ち上げる。これにより、先端３、４の間の距離を減少させ、保持力および／または予張力を簡単に増加させる。
【００２３】
図８は、開放した窓サッシ７８の場合にその鉛直プロファイルと窓枠との間に挿入される、ストッパの使用法を示しており、これは予張力で有利に締め付けられる。予張力、およびひいては保持力は、先端３、４を手で一緒に押圧することによって、または遊隙内に係合させて矢印８２の方向に接続領域２４を押圧することによって、容易に増加され得る。
【００２４】
ストッパが２つの分岐部１、２で床に置かれている、図７による使用法の代替として、ストッパは、分岐部１および結合体８の両方が床上に置かれるように、時計回りに９０°回転させられた位置で扉可動部分７０と床７２との間の遊隙または間隙内にさらに挿入されることが可能であり、分岐部２および／またはその先端は、特に扉可動部分７０の垂直領域７３に対して寄りかかる。ストッパはさらに、短い分岐部２および結合体８が床７２上に置かれるように、本発明にしたがって使用されてもよく、長い分岐部１は扉可動部分７０に対して、具体的にはその垂直領域７３に対して、寄りかかる。結合体８が扉可動部分７０と床７２との間の遊隙または間隙内に配置されるという旨の、ストッパの別の用途オプションまたは使用法が存在し、ここで長い分岐部１または短い分岐部２のいずれかが、扉可動部分７０と係合させられ、および／またはこれに対して着座させられる。本発明によるストッパのこれら異なる使用はまた本発明の一部としての窓のために代替的に提供されることも可能であり、ここでは床の代わりに、たとえば窓下枠、または窓サッシと窓下枠との間の遊隙が、その上へのストッパの着座および／または載置のために提供される。本発明によれば、ストッパのそれぞれの使用は、具体的にはドアまたはその底部と、あるいは窓またはその枠と、具体的には窓下枠との間の、間隙または距離の大きさに応じて、事前決定される。
【００２５】
ストッパの別の使用法は図９および図１０に基づいて記載されるが、図９によれば、ストッパは最初に床７２の上に平坦に、より具体的にはその前面３８によって置かれており、好ましくは点線で示される足８４によって、扉可動部分７０の下に部分的に押し込まれる。これは、図示されるように人が分岐部１の上に足８４を載せられるように、長い分岐部１が扉可動部分７０の前に位置している間に、開放した扉可動部分７０の下に少なくとも結合体８が配置されるようなやり方で行われる。代替例として、足４が短い分岐部２の上に載せられるように、ストッパはさらに扉可動部分７０の下に押し込まれる。ここでユーザが図１０による矢印８６の方向で分岐部１の上に自分の足または靴８４をより強く、または力を増加させて載せた場合には、ストッパは、他方の分岐部２が床７２から突起して合計で９０°回転させられるように、そして分岐部２またはその先端４が床７２からほぼ垂直情報に位置するように、変形させられる。足８４を矢印８７の方向に移動させることによって、足は分岐部１および２の間の遊隙または切り込み２５に侵入し、さらなる移動がストッパを矢印８８の方向にもう少しだけ扉可動部分７０の下に押し込むようにし、したがってこれは必然的な形で止められ、および／または扉可動部分を止める目的のために必要とされるストッパの予張力が事前決定される。予張力、および結果的には締め付け力も、こうして有利に増加する。予張力または締め付け力が、上方からの圧縮力によってではなく、引張荷重によって、または引張応力として事前決定されることは、特に重要である。足がストッパの上縁に干渉して邪魔にならないこと、および／またはストッパの最も高い点または領域がこのように利用され得ることは、こうして有利に実現される。ストッパのサイズおよび／または材料使用の最適な利用は、このようにして実現される。このためストッパは、扉可動部分７０と床７２との間の大きい距離で、特に低い材料費および／または小さいサイズで使用されることさえ可能である。
【００２６】
図１１および図１２は、中実バージョンとして設計され、および／または中実のゴムまたは可撓性のゴム状熱可塑性材料またはエラストマで作られていかなるクランプ状内側部分も有していない、ストッパの特殊な一実施形態を示す。このストッパは、分岐部１および２ならびに結合体８を含む。結合体８は、好ましくは材料および重量を節約する目的のため、具体的には別の代替実施形態において空洞９０を有することができる。それ以外は、上述の説明がこのストッパの実施形態にも同様に適用される。
【符号の説明】
【００２７】
１、２  分岐部
３、４  １、２の先端
５、７  １、２の空洞
８  １、２の結合体
９  ８の長さ
１０  ８の端部
１１  １の幅
１２  ８の端面
１４  ３、４の距離
１６  ３から１０までの距離
１８  ４から１０までの距離
２０  １の内面
２２  ２の内面
２４  ２０および２２の接続領域
２５  １と２との間の遊隙／切り込み
２６  ２４から８までの距離
２８  ２４から３までの距離
３０  １の外面
３２  ２の外面
３４、３６  ８の外面
３８  前面
４０、４２  １、２の点線／代替内面
４４、４６  １、２の点線／代替外面
４８、５０  ８の点線／代替外面
５２、５４  １、２の内側部分
５６  ５２および５４の接続アーム
５８  外側部分
６０  ５２、５４、５６の縁
６２  ６０から３８までの距離
６４  厚み
６６  裏面
６８  ３８と６６との間の角度
７０  扉可動部分
７２  床
７３  ７０の垂直領域
７４  ドア枠
７８  窓サッシ
８２、８６〜８８  矢印
８４  足／靴
９０  点線／空洞
【図１】
0006002224.tif 000002
【図２】
0006002224.tif 000003
【図３】
0006002224.tif 000004
【図４】
0006002224.tif 000005
【図５】
0006002224.tif 000006
【図６】
0006002224.tif 000007
【図７】
0006002224.tif 000008
【図８】
0006002224.tif 000009
【図９】
0006002224.tif 000010
【図１０】
0006002224.tif 000011
【図１１】
0006002224.tif 000012
【図１２】
0006002224.tif 000013